(57)【要約】【課題】犬を落ち着かせることができる内装構造を有する店舗を提供する。【解決手段】店舗（建造物）は、床１７と、床面に設置されるテーブル２１ａと、床面に設置されて、テーブル２１ａに組み合わせられる座席２２ａと、床面から立ち上がって天井１８まで至り、犬ＤＧを収容してテーブル２１ａおよび座席２２ａの占有空間を含む室内空間２３を通路から仕切る壁体２４ａを少なくとも部分的に含み、ひとの出入りを許容する通り道３２を有して室内空間２３を囲む壁２４とを備える。壁体２４ａには、天井１８および床面の間に配置され、室内空間２３に通路の空間を接続する開放口３５が形成される。【選択図】図３
2020070592.tif 000002
【特許請求の範囲】
【請求項１】
床と、
床面に設置されるテーブルと、
前記床面に設置されて、前記テーブルに組み合わせられる座席と、
前記床面から立ち上がって天井まで至り、犬を収容して前記テーブルおよび前記座席の占有空間を含む室内空間を通路から仕切る壁体を少なくとも部分的に含み、ひとの出入りを許容する通り道を有して室内空間を囲む壁とを備え、
前記壁体には、前記天井および前記床面の間に配置され、前記室内空間に前記通路の空間を接続する開放口が形成される
ことを特徴とする店舗。
【請求項２】
請求項１に記載の店舗において、前記開放口は、前記犬の目線よりも高い位置に設置されることを特徴とする店舗。
【請求項３】
床と、
床面に設置されるテーブルと、
前記床面に設置されて、前記テーブルに組み合わせられる座席と、
ひとの出入りを許容する通り道を有して、犬を収容し前記テーブルおよび前記座席の占有空間を含む床上空間を囲み、天井よりも下方で途切れて前記犬の目線を遮る目隠し体と
を備えることを特徴とする店舗。
【請求項４】
床と、
床面に設置されるテーブルと、
前記床面に設置されて、前記テーブルに組み合わせられるベンチと、
ひとの出入りを許容する間口を有して、犬を収容して前記テーブルおよび前記ベンチの占有空間を含む床上空間を囲み、前記ベンチの背もたれよりも高い位置であって天井よりも下方で途切れ前記犬の目線を遮る目隠し板と
を備えることを特徴とする店舗。
【発明の詳細な説明】
【技術分野】
【０００１】
本発明は、床と、床面に設置されるテーブルと、床面に設置されて、テーブルに組み合わせられる座席と、テーブルおよび座席の占有空間を含む室内空間を囲む壁、または、テーブルおよび座席の占有空間を含む床上空間を囲む目隠しとを備える店舗に関する。
【背景技術】
【０００２】
特許文献１は、飲食店舗用の個室を開示する。個室は、テーブルおよび座席の占有空間を含む室内空間を仕切る壁を備える。ひとの出入りを許容する通り道（出入り口）を除き、室内空間は壁で囲まれる。壁は床面から天井まで連続する。
【先行技術文献】
【特許文献】
【０００３】
【特許文献１】特開２０１２−１２７７０号公報
【発明の概要】
【発明が解決しようとする課題】
【０００４】
一般に、飲食店舗内には犬を持ち込みにくい。飼い主は、飲食店舗内の個室に犬を持ち込むことができ、いっしょに食事することができれば喜ぶ。個室の外であっても店舗内で居合わせたひとは犬が騒ぐと不快感を覚えるかもしれない。何らかの方法で犬を落ち着かせることができれば、店舗の運営側も快く犬の持ち込みを許可することができるかもしれない。特許文献１には、個室のような閉鎖空間が犬の状態にどう影響するか、全く開示されない。
【０００５】
本発明は、犬を落ち着かせることができる内装構造を有する店舗を提供することを目的とする。
【課題を解決するための手段】
【０００６】
本発明の第１側面によれば、店舗（建造物）は、床と、床面に設置されるテーブルと、床面に設置されて、テーブルに組み合わせられる座席と、床面から立ち上がって天井まで至り、犬を収容してテーブルおよび座席の占有空間を含む室内空間を通路から仕切る壁体を少なくとも部分的に含み、ひとの出入りを許容する通り道を有して室内空間を囲む壁とを備える。壁体には、天井および床面の間に配置され、室内空間に通路の空間を接続する開放口が形成される。
【０００７】
壁は個室を形成する。個室内の犬は、壁で囲まれた室内空間に居るので、安心感を覚え落ち着く。開放口から通路の気配は犬に届くので、犬は室内空間をテリトリー（縄張り）として認識しない。したがって、店舗のホールスタッフが通り道から室内空間に進入しても、犬は吠えない。その結果、店舗の運営側は快く個室への犬の持ち込みを許可することができる。飼い主は、気兼ねなく個室に犬を持ち込むことができ、いっしょに食事することができる。犬は落ち着くので、店舗内で居合わせたひとは犬を気にせずに良好に食事を楽しむことができる。本発明者は、床面から天井まで連続する壁に囲まれた個室では店舗のホールスタッフが個室内の空間に進入すると犬が吠えることを発見した。１匹の犬が吠えると、他の犬も追随するように吠えることは一般に知られる。したがって、１匹でも犬が吠えると、店舗内は吠える声で騒がしくなってしまう。
【０００８】
ここで、開放口は、犬の目線よりも高い位置に設置されればよい。室内空間に居る犬と、通路を行き交う犬とは目線を合わせることはないので、犬たちは落ち着いた状態に維持されることができる。
【０００９】
本発明の第２側面によれば、店舗（建造物）は、床と、床面に設置されるテーブルと、床面に設置されて、テーブルに組み合わせられる座席と、ひとの出入りを許容する通り道を有して、犬を収容しテーブルおよび座席の占有空間を含む床上空間を囲み、天井よりも下方で途切れて犬の目線を遮る目隠し体とを備える。
【００１０】
犬は、目隠し体で囲まれた床上空間内に居るので、安心感を覚え落ち着く。しかも、目隠し体は天井よりも下方で途切れるので、床上空間の内外は相互に接続され、床上空間の外側の気配は犬に届き、犬は床上空間をテリトリー（縄張り）として認識しない。したがって、店舗のホールスタッフが目隠し体の内側に進入しても、犬は吠えない。本発明者は、店舗内の空間に犬を持ち込むことを前提に、犬を落ち着かせるという全く新しい用途に、テーブルおよびチェアの占有空間を含む床上空間を囲む間仕切りを利用する。その結果、店舗の運営側は快く犬の持ち込みを許可することができる。飼い主は、気兼ねなく店舗内の空間に犬を持ち込むことができ、いっしょに食事することができる。犬は落ち着くので、店舗内で居合わせたひとは犬を気にせずに良好に食事を楽しむことができる。
【００１１】
本発明の第３側面によれば、店舗（建造物）は、床と、床面に設置されるテーブルと、床面に設置されて、テーブルに組み合わせられるベンチと、ひとの出入りを許容する間口を有して、犬を収容してテーブルおよびベンチの占有空間を含む床上空間を囲み、ベンチの背もたれよりも高い位置であって天井よりも下方で途切れ犬の目線を遮る目隠し板とを備える。
【００１２】
犬は、ベンチおよび目隠し板で囲まれた床上空間内に居るので、安心感を覚え落ち着く。しかも、目隠し板は天井よりも下方で途切れるので、床上空間の内外は相互に接続され、床上空間の外側の気配は犬に届き、犬は床上空間をテリトリー（縄張り）として認識しない。したがって、店舗のホールスタッフが間口に現れても、犬は吠えない。目隠し板は、ベンチの背もたれよりも高い位置まで広がるので、犬がベンチに載っても犬の目線は十分に遮られることができる。本発明者は、店舗内の空間に犬を持ち込むことを前提に、犬を落ち着かせるという全く新しい用途に、テーブルおよびチェアの占有空間を含む床上空間を囲む間仕切りを利用する。その結果、店舗の運営側は快く犬の持ち込みを許可することができる。飼い主は、気兼ねなく店舗内の空間に犬を持ち込むことができ、いっしょに食事することができる。犬は落ち着くので、店舗内で居合わせたひとは犬を気にせずに良好に食事を楽しむことができる。
【発明の効果】
【００１３】
犬を落ち着かせることができる内装構造を有する店舗は提供される。
【図面の簡単な説明】
【００１４】
【図１】本発明の一実施形態に係る店舗を含む建造物の外観を概略的に示す斜視図である。
【図２】本実施形態に係る店舗のレイアウトを概略的に示す平面図である。
【図３】室内空間内の内装構造を概略的に示す拡大斜視図である。
【図４】目隠し体で囲まれる床上空間内の内装構造を概略的に示す拡大斜視図である。
【図５】目隠し板で囲まれる床上空間内の内装構造を概略的に示す拡大斜視図である。
【発明を実施するための形態】
【００１５】
以下、添付図面を参照しつつ本発明の一実施形態を説明する。
【００１６】
図１は本考案の一実施形態に係る店舗を含む建造物の外観を概略的に示す。建造物１１は、鉄筋コンクリートや鉄筋鉄骨コンクリートその他の材質から形成される柱、梁、床、壁および天井を有する構造体１２と、構造体１２に組み込まれる窓枠１３や扉枠１４とを備える。窓枠１３にはガラス板が嵌め込まれる。扉枠１４内には開き戸が配置される。開き戸は垂直軸線回りに回転自在に扉枠１４に支持される。開き戸はヒンジで縦枠に連結される。
【００１７】
図２に示されるように、構造体１２は、建造物１１内に、犬ＤＧを収容する店舗１５を区画する。店舗１５の区画にあたって、構造体１２には、間仕切り１６や置き床１７、天井板１８などが取り付けられる。店舗１５内には、犬ＤＧを収容してテーブル２１ａおよびチェア（座席）２２ａの占有空間を含む室内空間２３を囲む壁２４と、犬ＤＧを収容してテーブル２１ｂおよびチェア（座席）２２ｂの占有空間を含む床上空間２５を囲む目隠し体２６と、犬ＤＧを収容してテーブル２１ｃおよびベンチ２２ｃの占有空間を含む床上空間２７を囲む目隠し板２８とで内装構造が構築される。
【００１８】
壁２４は共有空間（大広間）２９から室内空間２３を仕切る。室内空間２３はいわゆる個室に相当する。共有空間２９に、目隠し体２６で囲まれる床上空間２５、および、目隠し板２８で囲まれる床上空間２７は含まれる。
【００１９】
壁２４は、間仕切り１６との間に共有空間２９から延びる通路３１を区画する。壁２４は、通路３１から室内空間２３を仕切る壁体２４ａを少なくとも部分的に含む。壁２４には、ひとの出入りを許容する通り道３２が区画される。ここでは、通り道３２には扉が設置される。ただし、扉は設置されなくてもよい。通り道３２は通路３１に室内空間２３を接続する。目隠し体２６には、ひとの出入りを許容する通り道３３が区画される。目隠し板２８は、目隠し板２８で囲まれる床上空間２７に対してひとの出入りを許容する間口３４を区画する。
【００２０】
図３に示されるように、室内空間２３でテーブル２１ａは床面に設置される。チェア２２ａは、床面に設置されてテーブル２１ａに組み合わせられる。チェア２２ａに代わって座席にはソファやベンチ、その他の座席具が用いられてもよい。壁２４は置き床１７の床面から立ち上がって天井板１８まで至る。
【００２１】
壁体２４ａには、天井板１８および床面の間に配置され、室内空間２３に通路３１の空間を接続する開放口３５が形成される。開放口３５は、犬ＤＧの目線よりも高い位置に設置される。ただし、開放口３５の位置は、犬ＤＧの目線より低くてもよく、いずれにしても犬ＤＧの目線からずれていればよい。犬ＤＧの目線は店舗１５に訪れる犬ＤＧの大きさに応じて設定されればよい。ここでは、開放口３５は、水平方向にわたって連続するものの、必ずしも連続する必要はなく満遍なく室内空間２３と通路３１の空間との間で空気の出入りを許容すればよい。
【００２２】
図４に示されるように、目隠し体２６で囲まれる床上空間２５でテーブル２１ｂは床面に設置される。チェア２２ｂは、床面に設置されてテーブル２１ｂに組み合わせられる。チェア２２ｂに代わって座席にはソファやベンチ、その他の座席具が用いられてもよい。目隠し体２６は、天井１８よりも下方で途切れて犬ＤＧの目線を遮る。目隠し体２６は例えばチェア２２ｂの背もたれよりも高い位置まで至ればよい。チェア２２ｂの背もたれはヘッドレストを省略する高さで形成されればよい。目隠し体２６は例えばチェア２２ｂに着座するひとの目線よりも低い位置で途切れてもよい。
【００２３】
図５に示されるように、目隠し板２８で囲まれる床上空間２７でテーブル２１ｃは床面に設置される。ベンチ２２ｃは、床面に設置されてテーブル２１ｃに組み合わせられる。
目隠し板２８はベンチ２２ｃに一体化される。目隠し板２８は、ベンチ２２ｃの背もたれよりも高い位置であって天井板１８よりも下方で途切れ犬ＤＧの目線を遮る。ベンチ２２ｃの背もたれはヘッドレストを省略する高さで形成されればよい。目隠し板２８は例えばベンチ２２ｃに着座するひとの目線よりも低い位置で途切れてもよい。
【００２４】
壁２４は個室を形成する。個室内の犬ＤＧは、壁２４で囲まれた室内空間２３に居るので、安心感を覚え落ち着く。開放口３５から通路３１の気配は犬ＤＧに届くので、犬ＤＧは室内空間２３をテリトリー（縄張り）として認識しない。したがって、店舗１５のホールスタッフが通り道３２から室内空間２３に進入しても、犬ＤＧは吠えない。その結果、店舗１５の運営側は快く個室への犬ＤＧの持ち込みを許可することができる。飼い主は、気兼ねなく個室に犬ＤＧを持ち込むことができ、いっしょに食事することができる。犬ＤＧは落ち着くので、店舗１５内で居合わせたひとは犬ＤＧを気にせずに良好に食事を楽しむことができる。
【００２５】
本発明者は、床面から天井板１８まで連続する壁に囲まれた個室では店舗１５のホールスタッフが個室内の空間に進入すると犬が吠えることを発見した。１匹の犬が吠えると、他の犬も追随するように吠えることは一般に知られる。したがって、１匹でも犬が吠えると、店舗内は吠える声で騒がしくなってしまう。
【００２６】
本実施形態では、壁２４の開放口３５は、犬ＤＧの目線よりも高い位置に設置される。室内空間２３に居る犬ＤＧと、通路３１を行き交う犬ＤＧとは目線を合わせることはないので、犬ＤＧたちは落ち着いた状態に維持される。
【００２７】
本実施形態では、目隠し体２６は、犬ＤＧを収容しテーブル２１ｂおよび座席２２ｂの占有空間を含む床上空間２５を囲み、天井板１８よりも下方で途切れて犬ＤＧの目線を遮る。犬ＤＧは、目隠し体２６で囲まれた床上空間２５内に居るので、安心感を覚え落ち着く。しかも、目隠し体２６は天井板１８よりも下方で途切れるので、床上空間２５の内外は相互に接続され、床上空間２５の外側の気配は犬ＤＧに届き、犬ＤＧは床上空間２５をテリトリー（縄張り）として認識しない。したがって、店舗１５のホールスタッフが目隠し体２６の内側に進入しても、犬ＤＧは吠えない。本発明者は、店舗１５内の空間に犬ＤＧを持ち込むことを前提に、犬ＤＧを落ち着かせるという全く新しい用途に、床上空間２５を囲む間仕切りを利用する。その結果、店舗１５の運営側は快く犬ＤＧの持ち込みを許可することができる。飼い主は、気兼ねなく店舗１５内の空間に犬ＤＧを持ち込むことができ、いっしょに食事することができる。犬ＤＧは落ち着くので、店舗１５内で居合わせたひとは犬ＤＧを気にせずに良好に食事を楽しむことができる。
【００２８】
目隠し板２８は、犬ＤＧを収容してテーブル２１ｃおよびベンチ２２ｃの占有空間を含む床上空間２７を囲み、ベンチ２２ｃの背もたれよりも高い位置であって天井板１８よりも下方で途切れ犬ＤＧの目線を遮る。犬ＤＧは、ベンチ２２ｃおよび目隠し板２８で囲まれた床上空間２７内に居るので、安心感を覚え落ち着く。しかも、目隠し板２８は天井板１８よりも下方で途切れるので、床上空間２７の内外は相互に接続され、床上空間２７の外側の気配は犬ＤＧに届き、犬ＤＧは床上空間２７をテリトリー（縄張り）として認識しない。したがって、店舗１５のホールスタッフが間口３４に現れても、犬ＤＧは吠えない。目隠し板２８は、ベンチ２２ｃの背もたれよりも高い位置まで広がるので、犬ＤＧがベンチ２２ｃに載っても犬ＤＧの目線は十分に遮られる。本発明者は、店舗１５内の空間に犬ＤＧを持ち込むことを前提に、犬ＤＧを落ち着かせるという全く新しい用途に、床上空間２７を囲む間仕切りを利用する。その結果、店舗１５の運営側は快く犬ＤＧの持ち込みを許可することができる。飼い主は、気兼ねなく店舗１５内の空間に犬ＤＧを持ち込むことができ、いっしょに食事することができる。犬ＤＧは落ち着くので、店舗１５内で居合わせたひとは犬ＤＧを気にせずに良好に食事を楽しむことができる。
【符号の説明】
【００２９】
１１…建造物、１５…店舗、１７…床（置き床）、２１ａ…テーブル、２１ｂ…テーブル、２１ｃ…テーブル、２２ａ…座席（チェア）、２２ｂ…座席（チェア）、２２ｃ…ベンチ、２３…室内空間、２４…壁、２４ａ…壁体、２５…床上空間、２６…目隠し体、２７…床上空間、２８…目隠し板、３１…通路、３２…（壁の）通り道、３３…（目隠し体の）通り道、３４…間口、３５…開放口、ＤＧ…犬。
【図１】
2020070592.tif 000003
【図２】
2020070592.tif 000004
【図３】
2020070592.tif 000005
【図４】
2020070592.tif 000006
【図５】
2020070592.tif 000007